(57)【要約】【課題】根の周囲に空気を流通させることにより、植物を良好に成長させることができる水耕栽培用植板、及び、水耕栽培装置を提供する。【解決手段】水耕栽培用植板１０は、複数の稙孔１１が貫通して設けられた板状の植板本体１２を備えている。植板本体１２の底面には、各稙孔１１を個別に囲むように、複数の突起部１３がそれぞれ設けられている。各突起部１３の側部には、植孔１１に貫通するスリット状の空気流通部１４が設けられており、稙孔１１に空気が流通するようになっている。【選択図】図１
0003197822.tif 000002
【実用新案登録請求の範囲】
【請求項１】
液肥を入れた水槽の上に配置して用いられる水耕栽培用植板であって、
複数の稙孔が貫通して設けられた板状の植板本体を備え、
この植板本体の底面には、前記各稙孔を個別に囲むように複数の突起部がそれぞれ設けられ、
この各突起部の側部には、前記植孔に貫通する空気流通部が設けられた
ことを特徴とする水耕栽培用植板。
【請求項２】
前記空気流通部はスリット状であり、前記各突起部に対してそれぞれ複数ずつ設けられたことを特徴とする請求項１記載の水耕栽培用植板。
【請求項３】
発泡プラスチックにより構成されたことを特徴とする請求項１記載の水耕栽培用植板。
【請求項４】
内部に液肥を流通させる流通部を有する水槽と、
請求項１から請求項３のいずれか１に記載の水耕栽培用植板と
を備えたことを特徴とする水耕栽培装置。
【考案の詳細な説明】
【技術分野】
【０００１】
本考案は、野菜等の植物を水耕栽培する際に用いる水耕栽培用植板、及び、水耕栽培装置に関する。
【背景技術】
【０００２】
野菜等の植物を水耕栽培する装置としては、例えば、軽量形鋼よりなる台枠に、水平方向に多段に渡って合成樹脂よりなる中空筒状の栽培用ベッドを配設し、各栽培ベッドの上面に間隔を開けて複数の植孔を設け、この植孔に案内保持筒を挿入したものが知られている（例えば、特許文献１参照）。この水耕栽培装置では、案内保持筒に、種子を埋め込んだ水耕栽培床を挿入し、各栽培用ベッドに液肥を流通させて栽培する。
【先行技術文献】
【特許文献】
【０００３】
【特許文献１】実用新案登録第３１５８５９６号公報
【考案の概要】
【考案が解決しようとする課題】
【０００４】
しかしながら、この水耕栽培装置では、植孔及び案内保持筒が栽培用ベッドに流通されている液肥に接触していたので、植物の根の周囲に空気の流通がなく、空気を取り込むことができないという問題があった。そのため、植物の生長がよくなかった。
【０００５】
本考案は、このような問題に基づきなされたものであり、根の周囲に空気を流通させることにより、植物を良好に成長させることができる水耕栽培用植板、及び、水耕栽培装置を提供することを目的とする。
【課題を解決するための手段】
【０００６】
本考案の水耕栽培用植板は、液肥を入れた水槽の上に配置して用いられるものであって、複数の稙孔が貫通して設けられた板状の植板本体を備え、この植板本体の底面には、各稙孔を個別に囲むように複数の突起部がそれぞれ設けられ、この各突起部の側部には、植孔に貫通する空気流通部が設けられたものである。
【０００７】
本考案の水耕栽培装置は、内部に液肥を流通させる流通部を有する水槽と、本発明の水耕栽培用植板とを備えたものである。
【考案の効果】
【０００８】
本考案によれば、植板本体の底面に突起部を設け、この突起部に稙孔に貫通する空気流通部を設けるようにしたので、稙孔に植えられた植物の根の周りに空気を流通させることができる。よって、植物を良好に成長させることができる。
【図面の簡単な説明】
【０００９】
【図１】本考案の一実施の形態に係る水耕栽培用植板の構成を表す図である。
【図２】図１に示した水耕栽培用植板の一部を拡大して表す図である。
【図３】図１に示した水耕栽培用植板を用いた水耕栽培装置構成を表す図である。
【考案を実施するための形態】
【００１０】
以下、本考案の実施の形態について、図面を参照して詳細に説明する。
【００１１】
図１は本考案の一実施の形態に係る水耕栽培用植板１０の構成を表すものであり、（Ａ）は上面から見た構成を表し、（Ｂ）は側面から見た断面構成を表し、（Ｃ）は底面から見た構成を表している。図２は、図１に示した水耕栽培用植板１０の一部を拡大して表すものである。
【００１２】
この水耕栽培用植板１０は、野菜等の植物を水耕栽培する際に用いられるものである。水耕栽培用植板１０は、例えば、発泡プラスチックにより構成されていることが好ましい。軽量であり、製造及び取り扱いを容易とすることができるからである。水耕栽培用植板１０は、複数の稙孔１１が貫通して設けられた板状の植板本体１２を備えている。稙孔１１には、植物の種子や苗を埋め込んだスポンジ等の多孔性材料からなる栽培駒Ｍが挿入される。稙孔１１は、例えば、円柱状であり、直径は１５ｍｍから５０ｍｍ程度とすることが好ましい。
【００１３】
植板本体１２の底面には、各稙孔１１を個別に囲むように、複数の突起部１３がそれぞれ設けられている。各突起部１３の側部には、植孔１１に貫通する空気流通部１４が設けられている。稙孔１１に空気を流通させるためである。これにより、この水耕栽培用植板１０では、稙孔１１に植えられた植物の根の周りに空気を流通させることができ、植物を良好に成長させることができるようになっている。また、この水耕栽培用植板１０では、植物が良好に成長するので、栽培駒Ｍの周りを栽培床で巻いて補強する必要がなく、直接、栽培駒Ｍを稙孔１１に挿入して栽培することができるようになっている。
【００１４】
空気流通部１４は、例えば、スリット状であり、各突起部１３に対してそれぞれ複数ずつ設けられている。具体的には、例えば、円環状の突起部１３を四分割するようにスリット状の空気流通部１４が十字状に形成されている。突起部１３の厚みは、例えば、５ｍｍから３０ｍｍ程度とすることが好ましい。厚みが薄すぎると、稙孔１１に十分に空気を流通させることができず、厚すぎると、植物の根が液肥に到達するまでの距離が長くなってしまうからである。空気流通部１４の大きさは、例えば、３ｍｍから１０ｍｍ程度とすることが好ましい。
【００１５】
植板本体１２の上面には、例えば、各稙孔１１を個別に囲むように、複数の凹部１５がそれぞれ設けられていることが好ましい。凹部１５は、突起部１３に対応して、突起部を挿入することができる大きさに形成されることが好ましい。複数の水耕栽培用植板１０を積層して保管したり搬送したりする際に、各突起部１３を各凹部１５に挿入して、かさばらずに重ねることができるからである。
【００１６】
図３は図１に示した水耕栽培用植板１０を用いた水耕栽培装置２０の構成を表すものである。この水耕栽培装置２０は、例えば、内部に液肥を流通させる流通部２１を有する水槽２２と、この水槽２２の上に着脱可能に載置して用いられる水耕栽培用植板１０とを備えている。水槽２２の上部には、例えば、水耕栽培用植板１０を載置するための段差部２３が形成されており、水耕栽培用植板１０は、この段差部２３に底面側部を当接して載置される。水槽２２には、図示しないが、流通部２１に液肥を流入する流入口と、液肥を流出させる流出口が設けられている。流出口は水槽２２の底部から所定の高さの位置に設けられており、液肥をオーバーフローさせることにより、液肥を所定の高さに保持するようになっている。水槽２２は、例えば、発泡プラスチックにより構成されていることが好ましい。
【００１７】
この水耕栽培装置２０は、例えば、水槽２１を所定の高さに支持する支持部２４を備えていることが好ましい。支持部２４は、例えば、発泡プラスチックにより構成されていることが好ましく、水槽２２の長さ方向に間隔を開けて複数設けられている。各支持部２４は、例えば、水槽２２の底部に沿って幅方向に伸長して設けられた底部支持部２５と、この底部支持部２５の両端側から下方に伸長して設けられた一対の脚部２６と、この一対の脚部２６を下側において連結する連結部２７と、底部支持部２５の中央部から一対の脚部２６と連結部２７との接合部に向かい斜めに伸長して設けられた一対の傾斜部２８とを有している。各支持部２４には、例えば、水槽２２の長さ方向に伸長して、各支持部２４を貫通するように、金属製の支持部補強部材２９が配設されていることが好ましい。
【００１８】
この水耕栽培装置２０では、例えば、水耕栽培用植板１０を水槽２１の上に載置し、各稙孔１１に植物の種子や苗を埋め込んだ栽培駒Ｍを挿入し、水槽２２の流通部２１に液肥を流通させて植物を栽培する。その際、水耕栽培用植板１０には、底面に突起部１３が設けられ、突起部１３に空気流通部１４が設けられているので、稙孔１１に植えられた植物の根の周りに空気が流通され、植物が良好に成長する。
【００１９】
このように本実施の形態によれば、植板本体１２の底面に突起部１３を設け、この突起部１３に稙孔１１に貫通する空気流通部１４を設けるようにしたので、稙孔１１に植えられた植物の根の周りに空気を流通させることができる。よって、植物を良好に成長させることができる。
【００２０】
以上、実施の形態を挙げて本考案を説明したが、本考案は上記実施の形態に限定されるものではなく、種々変形可能である。
【産業上の利用可能性】
【００２１】
水耕栽培に用いることができる。
【符号の説明】
【００２２】
１０…水耕栽培用植板、１１…稙孔、１２…植板本体、１３…突起部、１４…空気流通部、１５…凹部、２０…水耕栽培装置、２１…流通部、２２…水槽、２３…段差部、２４…支持部、２５…底部支持部、２６…脚部、２７…連結部、２８…傾斜部、２９…補強部材、Ｍ…栽培駒
【図１】
0003197822.tif 000003
【図２】
0003197822.tif 000004
【図３】
0003197822.tif 000005